(57)【要約】【課題】装飾効果を高めることができる装飾用照明装置を提供すること。【解決手段】装飾用照明装置は、電線に接続された少なくとも１つの照明組立体を含む。前記照明組立体は、少なくとも１つのシェルと、該シェルに取り付けられたフィルムと、少なくとも１つの照明器具とを有する。前記フィルムは、取付け用の環状部と、該環状部から外方へ放射状に伸びる複数の枝状部とを有する。前記フィルムは、反射層により被覆され、各枝状部に光ファイバーが任意に取り付けられている。前記枝状部を異なる形状に変更するとき、前記フィルムは特定の模様を有するように形成される。前記フィルムを有する前記装飾用照明装置は、前記照明組立体を作動させたときに魅力的な装飾効果を生む。【選択図】図１
0003135576.tif 000002
【実用新案登録請求の範囲】
【請求項１】
電線に接続された少なくとも１つの照明組立体を含む装飾用照明装置であって、前記照明組立体は、２つの表面を有する柔軟なフィルムと、該フィルムの前記表面に取り付けられた少なくとも１つのシェルと、前記電線に接続された、光を発生させるための少なくとも１つの照明器具とを含み、前記フィルムは、取付け用の環状部と、該環状部から外方へ放射状に伸び、それぞれが端部分を有する複数の枝状部とを有する、装飾用照明装置。
【請求項２】
前記照明組立体は、それぞれが前記フィルムの前記表面に取り付けられた、内部チェンバーを形成する２つのシェルを有する、請求項１に記載の装飾用照明装置。
【請求項３】
前記照明組立体は、前記電線に接続された中央照明器具と、それぞれが前記フィルムの前記枝状部に取り付けられた複数の光ファイバーとを有し、各光ファイバーは、前記中央照明器具に隣接する一端部と、前記フィルムの前記枝状部の前記端部分に固定された他端部とを有する、請求項１に記載の装飾用照明装置。
【請求項４】
前記照明組立体は、前記電線に接続された中央照明器具と、それぞれが前記フィルムの前記枝状部に取り付けられた複数の光ファイバーとを有し、各光ファイバーは、前記中央照明器具に隣接する一端部と、前記フィルムの前記枝状部の前記端部分に固定された他端部とを有する、請求項２に記載の装飾用照明装置。
【請求項５】
前記フィルムは反射層により被覆されている、請求項１に記載の装飾用照明装置。
【請求項６】
前記フィルムは反射層により被覆されている、請求項２に記載の装飾用照明装置。
【請求項７】
前記フィルムは、前記環状部を貫通して設けられた複数組の孔を有し、各シェルは、リップを有する開口と、前記リップから互いに反対方向に伸びる２つの取付け用突起であって両シェルが互いに組み合されたときに、前記内部チェンバーと連通する通路を形成する取付け用突起と、それぞれが前記リップから伸びる複数の固定用突起とを有し、一方のシェルの前記固定用突起は他方のシェルの前記固定用突起に対応し、一方のシェルは前記固定用突起にスタブ孔を有し、他方のシェルは、前記フィルムの前記孔を貫いて前記スタブ孔に固定されたスタブを前記固定用突起に有する、請求項４に記載の装飾用照明装置。
【請求項８】
前記フィルムは、前記環状部を貫通して設けられた複数組の孔を有し、各シェルは、リップを有する開口と、前記リップから互いに反対方向に伸びる２つの取付け用突起であって両シェルが互いに組み合されたときに、前記内部チェンバーと連通する通路を形成する取付け用突起と、それぞれが前記リップから伸びる複数の固定用突起とを有し、一方のシェルの前記固定用突起は他方のシェルの前記固定用突起に対応し、一方のシェルは前記固定用突起にスタブ孔を有し、他方のシェルは、前記フィルムの前記孔を貫いて前記スタブ孔に固定されたスタブを前記固定用突起に有する、請求項６に記載の装飾用照明装置。
【請求項９】
前記照明器具は前記シェル内に配置されている、請求項３に記載の装飾用照明装置。
【請求項１０】
前記照明器具は前記シェル内に配置されている、請求項５に記載の装飾用照明装置。
【請求項１１】
前記照明組立体は、前記シェルに取り付けられた複数の照明器具を有する、請求項３に記載の装飾用照明装置。
【請求項１２】
前記照明組立体は、前記シェルに取り付けられた複数の照明器具を有する、請求項７に記載の装飾用照明装置。
【請求項１３】
前記照明組立体は、前記シェルに取り付けられた複数の照明器具を有する、請求項８に記載の装飾用照明装置。
【請求項１４】
前記照明組立体は複数の弾性クリップを有し、前記フィルムの各組の孔は、前記スタブが貫く孔と、前記弾性クリップが通過する２つの孔とを有し、各弾性クリップは、互いに組み合された２つの前記固定用突起に巻き付けられている、請求項７に記載の装飾用照明装置。
【請求項１５】
前記照明組立体は複数の弾性クリップを有し、前記フィルムの各組の孔は、前記スタブが貫く孔と、前記弾性クリップが通過する２つの孔とを有し、各弾性クリップは、互いに組み合された２つの前記固定用突起に巻き付けられている、請求項８に記載の装飾用照明装置。
【請求項１６】
前記照明組立体は、それぞれが前記通路に取り付けられ、前記電線を留める２つのプラグを有する、請求項７に記載の装飾用照明装置。
【請求項１７】
前記照明組立体は、それぞれが前記通路に取り付けられ、前記電線を留める２つのプラグを有する、請求項８に記載の装飾用照明装置。
【請求項１８】
前記照明組立体は、それぞれが前記通路に取り付けられ、前記電線を留める２つのプラグを有する、請求項１２に記載の装飾用照明装置。
【請求項１９】
前記照明組立体は、それぞれが前記通路に取り付けられ、前記電線を留める２つのプラグを有する、請求項１３に記載の装飾用照明装置。
【請求項２０】
前記照明組立体は、それぞれが前記通路に取り付けられ、前記電線を留める２つのプラグを有する、請求項１４に記載の装飾用照明装置。
【考案の詳細な説明】
【技術分野】
【０００１】
本考案は、少なくとも１つの照明組立体を含む装飾用照明装置であって装飾効果を高めるため、前記照明組立体が、２つのシェル間にあって該シェルに取り付けられた又は１つのシェルに取り付けられたフィルムを有する装飾用照明装置に関する。
【背景技術】
【０００２】
大きな行事の期間に商店、デパート及び一般の家で装飾用の照明装置が用いられる。従来の照明装置は、球形状であり、木、窓等から吊り下げられる。前記照明装置は、構造が比較的単純であり、光を発生させるための照明器具が取り付けられたシェルを有する。しかし、前記照明装置は、外観に特徴がないため、魅力に欠ける。
【考案の開示】
【考案が解決しようとする課題】
【０００３】
本考案は、前記した問題を改善する装飾用照明装置を提供する。
【０００４】
本考案の目的は、装飾効果を高めることができる装飾用照明装置を提供することである。
【課題を解決するための手段】
【０００５】
本考案に係る装飾用照明装置は、電線に接続された少なくとも１つの照明組立体を含む。前記照明組立体は、２つのシェルと、該シェル間にあって該シェルに取り付けられたフィルムと、少なくとも１つの照明器具とを有する。前記フィルムは、取付け用の環状部と、該環状部から外方へ放射状に伸びる複数の枝状部とを有する。前記フィルムは、反射層により被覆され、各枝状部に光ファイバーが取り付けられている。前記枝状部を異なる形状に変更するとき、前記フィルムは特定の模様を有するように形成される。前記フィルムを有する前記装飾用照明装置は、前記照明組立体を作動させたときに魅力的な装飾効果を生む。
【０００６】
前記照明組立体は、１つのシェルと、該シェルに取り付けられたフィルムと、少なくとも１つの照明器具とを有するものとすることができる。
【０００７】
本考案の他の目的、利点及び新規な特徴は、添付の図面に関する以下の詳細な説明からより明らかになる。
【考案を実施するための最良の形態】
【０００８】
図１ないし３、８に示すように、装飾用照明装置は、電線２に接続された少なくとも１つの照明組立体１を含む。照明組立体１は、２つの表面を有するフィルム１０と、それぞれが該フィルムの前記表面に取り付けられた２つのシェル２０と、少なくとも１つの照明器具３０とを有する。各照明組立体１は、弾性クリップ４０と、少なくとも１つのプラグ５０とを有する。
【０００９】
図４ないし６に示すように、フィルム１０は、柔軟性を有し、取付け用の環状部１１と、該環状部から外方へ放射状に伸びる複数の枝状部１２と、環状部１１を貫通して設けられた複数組の孔１３とを有する。フィルム１０が柔軟であることから、フィルム１０は、照明効果を高めるために僅かにねじったり、曲げたりすることができる。各枝状部１２は端部分を有する。
【００１０】
フィルム１０の環状部１１は、シェル２０間に位置し、シェル２０に形成される相補的構造を用いることなく、接着、超音波溶接又は吸引によりシェル２０と接合されている。フィルム１０とシェル２０との接合を補強するため、フィルム１０は、シェル２０に形成されたスタブ２３２が固定された１組の孔１３を有するのが好ましい。
【００１１】
各組の孔１３は、整列された一連の孔１３ａ、１３ｂ、１３ｃからなるものとすることができる。
【００１２】
フィルム１０は、枝状部１２を多様化させることにより特定の模様を有するように製作することができる。第１実施例では、各枝状部１２は、円形状の端部分と、該端部分と環状部１１との間の細い棒状部分とを有する。
【００１３】
第２実施例では、フィルム１０が雪片状に設計され、枝状部１２の前記端部分が幾何学模様を呈している。
【００１４】
フィルム１０は、その全部又は一部が反射層１４により被覆されている。第３実施例では、フィルム１０の全部が反射層１４により被覆されている。第４実施例では、照明組立体１は、中央照明器具１５と、複数の光ファイバー１６とを有する。中央照明器具１５は、電線２に接続され、フィルム１０の環状部１１の内側に配置されている。各光ファイバー１６はフィルム１０の枝状部１２に取り付けられている。光ファイバー１６は、中央照明器具１５に隣接する一端部と、フィルム１０の枝状部１２の前記端部分に固定された他端部とを有する。中央照明器具１５が光を放射するとき、光ファイバー１６は、魅力的な視覚効果を生じさせるため、前記光をフィルム１０の枝状部１２の前記端部分へ案内する。
【００１５】
図７、１０に示すように、２つのシェル２０は、立方体、角錐、球形等のような、内部チェンバーを有する３次元形状を形成するように組み合されている。各シェル２０は、半球形状であり、リップ２１を有する開口を有する。各シェル２０は、２つの取付け用突起２２と、複数の固定用突起２３とを有する。シェル２０を貫通して複数のランプ孔２４が設けられている。取付け用突起２２はリップ２１から互いに反対方向に伸びる。
【００１６】
２つのシェル２０が組み合されたとき、球形が形成され、対応する２つの取付け用突起２２は、前記内部チェンバーと連通する中空の通路を形成し、電線２の周囲に配置される。固定用突起２３はリップ２１から外方へ伸びる。一方のシェル２０は、それぞれが固定用突起２３に設けられた複数のスタブ孔２３１を有し、該スタブ孔は、それぞれが他方のシェル２０の固定用突起２３に形成され、該固定用突起から突出する複数のスタブ２３２と対応している。各スタブ２３２はスタブ孔２３１に固定されている。前記装飾用照明装置は、各シェル２０が固定用突起２３にスタブ孔２３１を有し、対応する２つのスタブ孔２３１にスタブ２３２が固定されていてもよい。
【００１７】
図９に示すように、シェル２０はフィルム１０の前記表面に配置され、スタブ２３１は、フィルム１０の環状部１１の孔１３ａを経て伸び、他方のシェル２０に接触している。シェル２０の固定用突起２３は弾性クリップ４０により補強されている。弾性クリップ４０はジップタイからなるものとすることができる。
【００１８】
２つの固定用突起２３を互いに結合するため、弾性クリップ４０の一端部は、フィルム１０の１つの孔１３ａを経て伸び、一方の固定用突起２３の周囲に巻き付けられ、他の孔１３ｃを経て伸び、他方の固定用突起２３の周囲に巻き付けられ、弾性クリップ４０の他端部に固定されている。これにより、フィルム１０は固定用突起２３と結合されている。
【００１９】
各ランプ孔２４に照明器具３０が取り付けられている。各ランプ孔２４は、照明器具３０に対応して形成され、該照明器具を保持する。
【００２０】
各照明器具３０は、外面を有するケーシング３１と、環状のフランジ３２と、２つのリブ３３と、ランプ３４と、ランプシェード３５とを有する。環状フランジ３２は、ケーシング３１の前記外面に一体に形成されている。リブ３３は、互いに反対側に位置するようにケーシング３１の前記外面に形成され、フランジ３２から僅かに間隔を置かれている。ランプ３４はケーシング３１に取り付けられている。ランプシェード３５は、半透明又は透明であり、ランプ３４の周囲に配置されている。
【００２１】
照明器具３０は、ケーシング３１がシェル２０の前記内部チェンバーに配置され、またランプ３４がシェル２０から突出するようにシェル２０のランプ孔２４に取り付けられている。
【００２２】
電線２は、取付け用突起２２により形成されたシェル２０間の前記通路に固定されたプラグ５０により保持されている。プラグ５０が電線２の周囲に配置され、かつ前記通路に固定されているため、取扱い中又は運搬中に照明器具３０が外れることはない。
【００２３】
第２実施例では、シェル２０は半透明又は透明であり、照明器具３０は、２つのシェル２０により形成された前記内部チェンバー内に配置されている。このため、照明器具３０により発せられた光は、シェル２０を通過する。
【００２４】
図１１に示すように、他の実施例では、照明組立体１は、１つのシェル２０と、該シェルに取り付けられたフィルム１０と、少なくとも１つの照明器具３０とを含む。照明組立体１は、壁のような平面を装飾するのに適している。照明器具３０はシェル２０に取り付けられている。シェル２０が半透明又は透明である場合、照明装置３０はシェル２０内に配置されていてもよい。図１ないし１０を参照して前記した異なる実施例に係るフィルム１０をこの実施例に用いてもよい。
【図面の簡単な説明】
【００２５】
【図１】本考案の第１実施例に係る、複数の照明組立体を含む装飾用照明装置の斜視図。
【図２】本考案の第１実施例に係る照明組立体の分解斜視図。
【図３】本考案の第１実施例に係る照明組立体の斜視図。
【図４】本考案の第２実施例に係るフィルムの正面図。
【図５】本考案の第３実施例に係るフィルムの正面図。
【図６】本考案の第４実施例に係るフィルムの正面図。
【図７】本考案の第１実施例に係る照明組立体の拡大分解斜視図。
【図８】本考案の第２実施例に係る照明組立体の分解斜視図。
【図９】フィルムと組み合された２つのシェルの部分的な正面図。
【図１０】フィルムと組み合された２つのシェルの断面図。
【図１１】本考案に係る、１つのシェルを有する装飾用照明装置の斜視図。
【符号の説明】
【００２６】
１    照明組立体
２    電線
１０    フィルム
１１    環状部
１２    枝状部
１３    孔
１４    反射層
１５    中央照明器具
１６    光ファイバー
２０    シェル
２１    リップ
２２    取付け用突起
２３    固定用突起
２４    ランプ孔
３０    照明器具
３１    ケーシング
３２    フランジ
３３    リブ
３４    ランプ
３５    ランプシェード
４０    弾性クリップ
５０    プラグ
２３１    スタブ孔
２３２    スタブ
【図１】
0003135576.tif 000003
【図２】
0003135576.tif 000004
【図３】
0003135576.tif 000005
【図４】
0003135576.tif 000006
【図５】
0003135576.tif 000007
【図６】
0003135576.tif 000008
【図７】
0003135576.tif 000009
【図８】
0003135576.tif 000010
【図９】
0003135576.tif 000011
【図１０】
0003135576.tif 000012
【図１１】
0003135576.tif 000013